(57)【要約】【課題】計測出力値と下限及び上限の各設定値との三者の関係を一目瞭然に判別できるようにする。【解決手段】メーター表示部１２の主目盛１４に沿って等間隔に並べられた複数のＬＥＤ素子１６を順次点灯させてその計測値のレベルをバーグラフで表示する主計測値表示１８と、主目盛１４に沿って等間隔に並べられた複数のＬＥＤ素子２０を順次点灯させてその下限値及び上限値の各レベルをバーグラフで表示する下限値表示２２及び上限値表示２４と、主目盛の目盛量の任意倍数で示された副目盛に沿って等間隔に並べられた複数のＬＥＤ素子を順次点灯させてその計測値のレベルをバーグラフで表示する副計測値表示３０と、計測値と下限値及び又は上限値との比較値により計測値の出力回路の開閉動作を行わせる制御回路３４とを備えた。【選択図】図１
0003132155.tif 000002
【実用新案登録請求の範囲】
【請求項１】
メーター表示部の主目盛に沿って等間隔に並べられた複数のＬＥＤ素子を計測値の電気信号により順次点灯させてその計測値のレベルをバーグラフで表示する主計測値表示と、
前記主目盛に沿って等間隔に並べられた複数のＬＥＤ素子を予め設定された下限値及び上限値に応じて順次点灯させてその下限値及び上限値のレベルをそれぞれバーグラフで表示する下限値表示及び上限値表示と、
前記主目盛の目盛量の任意倍数で示された副目盛に沿って等間隔に並べられた複数のＬＥＤ素子を前記計測値の電気信号により順次点灯させてその計測値のレベルを、前記主目盛の任意倍数を示すバーグラフで表示する副計測値表示と、
前記計測値と前記下限値及び又は前記上限値とを比較し、その比較値により前記計測値の出力回路の開閉動作を行わせる制御回路とを備えたことを特徴とするメーターリレー。
【請求項２】
請求項１に記載のメーターリレーにおいて、
前記メーター表示部に、前記計測値をデジタル数値で表示するデジタル計測値表示を設けたことを特徴とするメーターリレー。
【請求項３】
請求項１又は２に記載のメーターリレーにおいて、
前記主計測値表示と前記下限値表示と前記上限値表示を構成する各ＬＥＤ素子をそれぞれ異なる色で発光するようにしたことを特徴とするメーターリレー。
【請求項４】
請求項１乃至３のいずれかに記載のメーターリレーにおいて、
前記メーター表示部の目盛量を示す数値を電光表示したことを特徴とするメーターリレー。
【請求項５】
請求項１乃至４のいずれかに記載のメーターリレーにおいて、
前記メーター表示部の前記計測値のデジタル数値を電光表示したことを特徴とするメーターリレー。
【請求項６】
請求項１乃至５のいずれかに記載のメーターリレーにおいて、
前記主目盛を模擬対数目盛とし、
前記主計測値表示、前記下限値表示及び上限値表示の各ＬＥＤ素子のうち、前記模擬対数目盛に対応するＬＥＤ素子のみをそれぞれ点灯させるようにしたことを特徴とするメーターリレー。
【請求項７】
請求項１乃至６のいずれかに記載のメーターリレーにおいて、
リモートコンピュータへの通信手段を備えたことを特徴とするメーターリレー。
【考案の詳細な説明】
【技術分野】
【０００１】
本考案は、電流、電圧、電力、温度、湿度、真空度、圧力、重量、流量、熱量、光量、張力等の電気信号として検出される計測値の指示と制御を行うメーターリレーに関する。メーターリレーに関する。
【背景技術】
【０００２】
従来この種のメーターリレーとして、入力したアナログレベルによってＬＥＤ等の表示素子を順次点灯させ、そのレベルを判別すると共に、そのレベル表示値と予め設定された上下限表示値とを比較し、表示及び比較設定値以上又は以下の状態によりＯＮＯＦＦ信号を出力するメーターリレーにおいて、主表示の１目盛に対応して増幅する補助目盛を設けたバーグラフメーターリレーがある（特許文献１参照）。
【特許文献１】登録実用新案第３０３９８１６号公報
【考案の開示】
【考案が解決しようとする課題】
【０００３】
既知の従来の技術には、次のような解決すべき課題があった。
上記メーターリレーは、出力値（計測値）と低位（下限）及び高位（上限）の各設定値を示すＬＥＤ等の表示素子が共通のものであるため、例えば、出力値のバーグラフが低位の設定値と高位の設定値とダブった状態では、出力値の数値あるいは出力値と低位及び高位の各設定値の関係等が判別し難い。
本考案は、上記の課題を解決するためになされたもので、計測出力値と下限及び上限の各設定値との三者の関係を一目瞭然に判別できるようにしたメーターリレーを提供する。
【課題を解決するための手段】
【０００４】
以下の構成はそれぞれ上記の課題を解決するための手段である。
〈構成１〉
メーター表示部の主目盛に沿って等間隔に並べられた複数のＬＥＤ素子を計測値の電気信号により順次点灯させてその計測値のレベルをバーグラフで表示する主計測値表示と、上記主目盛に沿って等間隔に並べられた複数のＬＥＤ素子を予め設定された下限値及び上限値に応じて順次点灯させてその下限値及び上限値のレベルをそれぞれバーグラフで表示する下限値表示及び上限値表示と、上記主目盛の目盛量の任意倍数で示された副目盛に沿って等間隔に並べられた複数のＬＥＤ素子を上記計測値の電気信号により順次点灯させてその計測値のレベルを、上記主目盛の任意倍数を示すバーグラフで表示する副計測値表示と、上記計測値と上記下限値及び又は上記上限値とを比較し、その比較値により上記計測値の出力回路の開閉動作を行わせる制御回路とを備えたことを特徴とするメーターリレー。
【０００５】
メーター表示部の主目盛に沿って主計測値表示と下限値表示と上限値表示とがそれぞれ３つのバーグラフで同時に表示されるので、例えば、主計測値表示が下限値表示と上限値表示とに跨って表示されても三者の関係が一目瞭然に判別できる。
【０００６】
〈構成２〉
構成１に記載のメーターリレーにおいて、上記メーター表示部に、上記計測値をデジタル数値で表示するデジタル計測値表示を設けたことを特徴とするメーターリレー。
【０００７】
主計測値表示と副計測値表示とに示された計測値を１つのデジタル表示にしたことにより、フル計測値を簡単に読み取ることができる。
【０００８】
〈構成３〉
構成１又は２に記載のメーターリレーにおいて、上記主計測値表示と上記下限値表示と上記上限値表示を構成する各ＬＥＤ素子をそれぞれ異なる色で発光するようにしたことを特徴とするメーターリレー。
【０００９】
実際の計測値と上下限の各設定値を示すバーグラフをそれぞれ異なる色で着色したことにより、判読ミスを防止できる。
【００１０】
〈構成４〉
構成１乃至３のいずれかに記載のメーターリレーにおいて、上記メーター表示部の目盛量を示す数値を電光表示したことを特徴とするメーターリレー。
【００１１】
メーター表示部の表示が夜間等の暗闇でも判読できる。
【００１２】
〈構成５〉
構成１乃至４のいずれかに記載のメーターリレーにおいて、上記メーター表示部の上記計測値のデジタル数値を電光表示したことを特徴とするメーターリレー。
【００１３】
メーター表示部のすべての表示が夜間等の暗闇でも判読できる。
【００１４】
〈構成６〉
構成１乃至５のいずれかに記載のメーターリレーにおいて、上記主目盛を模擬対数目盛とし、上記主計測値表示、上記下限値表示及び上限値表示の各ＬＥＤ素子のうち、上記模擬対数目盛に対応するＬＥＤ素子のみをそれぞれ点灯させるようにしたことを特徴とするメーターリレー。
【００１５】
等間隔に並べられた複数のＬＥＤ素子をあたかも対数配置したように構成できる。
【００１６】
〈構成７〉
構成１乃至６のいずれかに記載のメーターリレーにおいて、リモートコンピュータへの通信手段を備えたことを特徴とするメーターリレー。
【００１７】
測定データを通信回線を通じてリモートコンピュータに送信すれば遠隔地で測定データを監視できる。
【考案を実施するための最良の形態】
【００１８】
以下、本考案の実施の形態を実施例毎に詳細に説明する。
【実施例１】
【００１９】
図１〜図３は実施例１のメーターリレー１０を示す説明図である。
このメーターリレー１０は、図１に示すように、メーター表示部１２に円弧状に付された主目盛１４に対応して計測値を表示する主計測値表示１８と、予め設定された下限値及び上限値を円弧状に表示する下限値表示２２及び上限値表示２４と、主計測値表示１８の主目盛１４の目盛量の任意倍数を直線状に表示する副計測値表示３０と、計測値と下限値及び又は上限値とを比較し、その比較値により計測値の出力回路の開閉動作を行わせる制御回路３４（図５）とを備えている。
【００２０】
主計測値表示１８は、主目盛１４に沿って円弧状に等間隔に並べられた複数のＬＥＤ素子１６を計測値の電気信号により順次点灯させてその計測値のレベルをバーグラフで表示する。点灯したＬＥＤ素子は黒く塗りつぶした状態に示されている（以下同じ）。下限値表示２２及び上限値表示２４は、主目盛１４に沿って円弧状に等間隔に並べられた複数のＬＥＤ素子２０を、予め設定された下限値及び上限値に応じて順次点灯させてその下限値及び上限値のレベルをそれぞれバーグラフで表示する。
【００２１】
副計測値表示３０は、主目盛１４の目盛量の任意倍数で示された副目盛１５に沿って直線状に等間隔に並べられた複数のＬＥＤ素子３２を計測値の電気信号により順次点灯させてその計測値のレベルを、主目盛１４の任意倍数で示すバーグラフで表示する。この実施例においては、主目盛１４の目盛量の任意倍数は、０．０２である。例えば、図１に示すように、主目盛１４の点灯したＬＥＤ素子が示す目盛量が６．６、副目盛１５の点灯したＬＥＤ素子が示す目盛量が４の場合は、６．６＋（４×０．０２）＝６．６８がフル計測値となる。
【００２２】
メーター表示部１２に、主計測値表示１８が下限値表示２２を越えると点灯するＳＥＴＬランプ２６と、主計測値表示１８が上限値表示２４を越えると点灯するＳＥＴＨランプ２８とが設けられている。また、メーター表示部１２に、フル表示の計測値をデジタル数値で表示するデジタル計測値表示３８を設けた。主計測値表示１８と副計測値表示３０とに示された計測値を加算して１つのデジタル表示にしたことにより、フル計測値を簡単に読み取ることができる。
【００２３】
主計測値表示１８と下限値表示２２と上限値表示２４とを構成する各ＬＥＤ素子１６、２０をそれぞれ異なる色で発光するようにしてもよい。計測値と上下限の各設定値を示すバーグラフをそれぞれ異なる色で着色することにより、判読ミスを防止できる。
【００２４】
メーター表示部１２の主目盛１４の目盛量を示す数値やデジタル計測値表示３８の数値を電光表示にしてもよい。例えば、主目盛１４の目盛量を示す数値の場合、メーター表示部１２を同数値の形で打ち抜き、メーター表示部１２の裏側から明かりを透過するようにする。このようにすれば、メーター表示部１２の表示が夜間等の暗闇でも判読できる。
【００２５】
次に実施例１について操作の一例を説明する。
図１中、下限値及び上限値を設定したり、既設定値を変更する場合、モードキー４０を押す。既に下限値及び上限値が設定してあれば、下限値表示２２と上限値表示２４とがバーグラフで表示される。次に設定値を新規設定あるいは変更する場合、下限値用設定キー４２又は上限値用設定キー４４を適宜操作し、下限値表示２２又は上限値表示２４のＬＥＤを点灯又は消灯させて、変更した設定値を確認する。但し設定値を確認するのみの時は設定キー４２、４４を操作しない。更にモードキー４０を押せば通常のモードにかえる。
【００２６】
なお、図１は現在の計測値が下限値と上限値との間である場合、図２は現在の計測値が下限値より低い場合、図３は現在の計測値が上限値を越えている場合をそれぞれ示している。いずれの場合も、現在の計測値が下限値と上限値に対してどのような状態であるかが一目瞭然に判別できる。
【００２７】
図４は、本考案のメーターリレー１０の機能を示すブロック図である。
任意の検出装置４１の出力はメーターリレー１０に入力するよう接続されている。メーターリレー１０には制御回路３４、スイッチ３５とメーター表示部１２とが設けられている。メーター表示部１２は、主計測値表示１８と上限値表示２４と下限値表示２２と副計測値表示３０とをＬＥＤを用いて表示するように構成されている。検出装置４１は、例えば、電流、電圧、電力、温度、湿度、真空度、圧力、重量、流量、熱量、光量、張力等の大きさを電気信号として検出する任意の測定機器である。
【００２８】
検出装置４１により検出されたデータは、制御回路３４によりＬＥＤ表示信号に変換されてメーター表示部１２に供給される。制御回路３４はマイクロコンピュータなどにより構成される。検出装置４１から入力する主計測値により主計測値表示１８がセットされる。また、検出装置４１から入力する副計測値により副計測値表示３０がセットされる。
【００２９】
上限値２４Ａと下限値２２Ａとは予め利用者によりセットされる。この値は、上限値表示２４や下限値表示２２として利用される。制御回路３４は、上限値２４Ａや下限値２２Ａと検出装置４１から出力される計測値とを比較し、一定の条件を満たした場合にスイッチ３５を制御する。このスイッチ３５は例えば、上限値を超えた場合にオン状態からオフ状態に切り換わる。また、計測値が下限値以下になった場合にオンからオフに切り換わる。負荷３９はこのスイッチ３５によって動作をオンオフ制御される。
【００３０】
図５は上記の制御回路３４の具体的な回路ブロック図である。
図に示すＣＰＵ５０は、例えば、ＤＣ２４ボルト入力４６ＡあるいはＡＣ８０〜２６０ボルト入力４６Ｂなどにより駆動される。ＣＰＵ５０にはＡ／Ｄ変換器５２、Ｄ／Ａ変換器５４、Ｉ／Ｏインタフェース５６、通信制御部５８などが設けられている。
【００３１】
図４に示した検出装置４１から出力された信号は、入力４６である。これが変換器４８を通じて一定の規格化されたレベルの信号とされ、ＣＰＵ５０に入力する。アナログ信号の場合、Ａ／Ｄ変換器５２によりデジタル信号に変換され、例えば、計測値として処理される。計測値などはＬＥＤドライバ６０によりＬＥＤ６２に供給され点灯制御される。ＬＥＤ６２は図４に示したメーター表示部１２に対応する。リレー接点（オープンコレクタ出力）６４は、図４に示したスイッチ３５に相当する。
【００３２】
ＣＰＵ５０は、既に説明した要領でスイッチのオンオフ制御をする。リレー接点（オープンコレクタ出力）６４はＣＰＵ５０の制御に従って、負荷のスイッチ回路をオンオフ制御する。なお、測定結果をレコーダに記録することができる。このため、レコーダ出力６６を得るように構成されている。また、リモートコンピュータなどに対しては通信制御部５８から所定の通信信号６８を送信し、例えば、測定データの記録などを行う。
【００３３】
すなわち、リモートコンピュータへの通信手段を備えることによって、測定データを通信回線を通じてリモートコンピュータに送信すれば遠隔地で測定データを監視できる。
【実施例２】
【００３４】
図６は実施例２のメーターリレー４５を示す説明図である。図１に示した部分と共通する部分には同一符号を付して重複説明を省略する。
このメーターリレー４５においては、メーター表示部１２の主目盛１４を模擬対数目盛とし、主計測値表示１８、下限値表示２２及び上限値表示２４の、等間隔に並べられた複数の各ＬＥＤ素子のうち、模擬対数目盛に対応するＬＥＤ素子のみをそれぞれ点灯させるようにした。
【００３５】
このようにすれば、等間隔に並べられた複数のＬＥＤ素子をあたかも対数配置したように構成できる。圧力計のような対数主目盛１４が多用されるメーターリレーに適用できる。
【００３６】
模擬対数目盛は、例えば圧力計の場合、７桁対数目盛、あるいは５桁対数目盛が使われる。図６は７桁対数目盛を使用した例を示している。
７桁対数目盛は、図示のように等間隔に配置された８個のＬＥＤ素子に対して、１０ｘ、（２個のＬＥＤ素子を飛ばして）２、（１個のＬＥＤ素子を飛ばして）４、６、８の目盛量を表す数値を順次付して１桁とし、これを７桁の５６段で構成される。飛ばされたＬＥＤ素子が点灯しない回路構成とされる。
【００３７】
５桁対数目盛は、図示しないが等間隔に配置された１１個のＬＥＤ素子を使用する。これらのＬＥＤ素子に対して、１０ｘ、（３個のＬＥＤ素子を飛ばして）２、（２個のＬＥＤ素子を飛ばして）４、（１個のＬＥＤ素子を飛ばして）６、８の目盛量を表す数値を順次付して１桁とし、これを５桁の５５段で構成される。
【図面の簡単な説明】
【００３８】
【図１】実施例１のメーターリレーを示す説明図である。
【図２】同メーターリレーの現在の計測値が下限値より低い場合の状態を示す説明図である。
【図３】同メーターリレーの現在の計測値が上限値を越えている場合の状態を示す説明図である。
【図４】同メーターリレーの機能を示すブロック図である。
【図５】同メーターリレーの制御回路の具体的な回路ブロック図である。
【図６】実施例２のメーターリレーを示す説明図である。
【符号の説明】
【００３９】
１０  メーターリレー
１２  メーター表示部
１４  目盛
１５  目盛
１６  ＬＥＤ素子
１８  主計測値表示
２０  ＬＥＤ素子
２２  下限値表示
２４  上限値表示
２６  ＳＥＴＬランプ
２８  ＳＥＴＨランプ
３０  副計測値表示
３２  ＬＥＤ素子
【図１】
0003132155.tif 000003
【図２】
0003132155.tif 000004
【図３】
0003132155.tif 000005
【図４】
0003132155.tif 000006
【図５】
0003132155.tif 000007
【図６】
0003132155.tif 000008